(57)【要約】  ボールスクリュー式ギヤの部材（１）が軸受（７）により回転自在に支承され、部材（１）の支持部（６）が妨害力の作用方向に応じて旋回運動を可能にするボールスクリュー式パワーステアリング。
2008538342.tif 000002
【特許請求の範囲】
【請求項１】
ボールスクリュー式ギヤの縦長の部材（１）が軸受（７）により回転自在に支承され、部材（１）の支持部（６）が妨害力の作用方向に従って旋回運動を可能にするボールスクリュー式パワーステアリングにおいて、下記の特徴、即ち
−軸受（７）が旋回装置（９）の一部であり、
−旋回装置が内輪（１１）と外輪（１２）を有する旋回リング（１２）として形成され、内輪（１１）と外輪（１２）がブリッジ（１３）によって連結されている
ことを特徴とするパワーステアリング。
【請求項２】
軸受（７）が少なくとも１つの軸受旋回軸（８）の周りに旋回可能であり、軸受旋回軸（８）が少なくとも近似的に、妨害力が部材（１）に旋回運動を強制する妨害力旋回軸に相当することを特徴とする請求項１に記載のパワーステアリング。
【請求項３】
軸受（７）が旋回装置（９）の内部に配置されていることを特徴とする請求項１または２に記載のパワーステアリング。
【請求項４】
旋回装置（９）が変形可能であることを特徴とする請求項１または３に記載のパワーステアリング。
【請求項５】
２個のブリッジ（１３）が設けられ、これらのブリッジが旋回リング（９）の相対する位置に少なくとも近似的に一線をなして配置されていることを特徴とする請求項１に記載のパワーステアリング。
【請求項６】
ブリッジ（１３）が軸受旋回軸（８）をなすことを特徴とする請求項５に記載のパワーステアリング。
【請求項７】
旋回リング（９）の内輪（１１）が軸受（７）の外輪（７ｂ）からなることを特徴とする請求項１、５および６のいずれか一項に記載のパワーステアリング。
【請求項８】
旋回リング（９）が弾性部材（１５）によりハウジング（１４）と結合され、弾性部材（１５）が旋回リング（９）に半径方向及び／又は軸方向に配置されていることを特徴とする請求項１および５〜７のいずれか一項に記載のパワーステアリング。
【請求項９】
旋回装置（９）をハウジングの受座（１４ａ）に対してねじることができることを特徴とする請求項１および３〜８のいずれか一項に記載のパワーステアリング。
【請求項１０】
旋回装置（９）が偏心構造を有し、旋回装置（９）をハウジングの受座（１４ａ）に対してねじることによって、支承される部材（１）のハウジング（１４）に対する位置が変更されることを特徴とする請求項９に記載のパワーステアリング。
【請求項１１】
軸受（６）がハウジングの受座（１４ａ）に対して移動可能であることを特徴とする請求項１〜８のいずれか一項に記載のパワーステアリング。
【請求項１２】
旋回装置（９）が、ハウジング（１４）に対する軸受（７）の位置及び支承される部材（１）の位置を変更することを可能にする調整装置（１６）を有することを特徴とする請求項１１に記載のパワーステアリング。
【請求項１３】
旋回リング（９）の外輪（１２）が調整装置（１６）に置き換えられていることを特徴とする請求項１または１２に記載のパワーステアリング。
【請求項１４】
旋回装置が旋回リング（９）を有し、旋回リング（９）がその外側の２つの相対する位置に少なくとも近似的に一線をなしてジャーナル（１７）を有し、ジャーナル（１７）がハウジング側の支持部材（１０）に支承されることを特徴とする請求項１または３に記載のパワーステアリング。
【請求項１５】
ジャーナル（１７）が軸受旋回軸（８）をなすことを特徴とする請求項１４に記載のパワーステアリング。
【請求項１６】
ジャーナル（１７）がラジアル軸受（１８）により支持部材（１０）に支承されることを特徴とする請求項１４または１５に記載のパワーステアリング。
【請求項１７】
旋回リング（９）が軸受（７）の外輪（７ｂ）からなることを特徴とする請求項１４、１５または１６に記載のパワーステアリング。
【請求項１８】
支持部材（１０）がハウジング（１４）に対する組立ひずみの補正のために移動可能に配置されていることを特徴とする請求項１４〜１７のいずれか一項に記載のパワーステアリング。
【請求項１９】
支持部材（１０）が支持部材（１０）に軸方向及び／又は半径方向に配置された弾性部材（１５）によりハウジング（１４）と結合されていることを特徴とする請求項１８に記載のパワーステアリング。
【請求項２０】
少なくとも支持部材（１０）に働く弾性部材（１５）の力が調整可能であることを特徴とする請求項１９に記載のパワーステアリング。
【請求項２１】
ねじ部材（１９）によって調整が行われることを特徴とする請求項２０に記載のパワーステアリング。
【請求項２２】
軸受が軸方向遊びのごく少ない玉軸受（７）であることを特徴とする請求項１〜２１のいずれか一項に記載のパワーステアリング。
【請求項２３】
玉軸受（７）が４点接触軸受であることを特徴とする請求項２２に記載のパワーステアリング。
【請求項２４】
部材がステアリングシステムのボールスクリュー式ギヤのボールナット（１）であることを特徴とする請求項１〜２２のいずれか一項に記載のパワーステアリング。
【発明の詳細な説明】
【技術分野】
【０００１】
本発明は請求項１の上位概念の特徴を有するボールスクリュー式パワーステアリングに関する。
【背景技術】
【０００２】
上記類別に基づくパワーステアリングはドイツ特許公開ＤＥ１０３１０４９２Ａにより周知である。
【０００３】
上記類別に関する文書は、ベルトとベルト車からなるステアリングギヤを記述する。その場合電気モータの出力軸及びプッシュロッドがそれぞれベルト車を備え、これらのベルト車はベルトによって連結される。またプッシュロッドはボールスクリュー式ギヤユニットの一部をなし、ユニットはさらに偏心輪、ボールナット又はステアリングナット、軸受及びベルト車を含む。プッシュロッドはボールナットとともにおおむねボールスクリューを構成する。ボールナットは軸受によってステアリングハウジングの中に支承される。
【０００４】
偏心輪は、ベルト又はベルト車の取付けが予荷重なしで行えるように、電気モータの出力軸とプッシュロッドの軸間隔を変えることを可能にする。
【０００５】
その場合ボールナットの支承で重要なのは、軸方向にも半径方向にも支持部の遊びが極めて小さいことである。また支持部は若干の旋回性を持たなければならない。そのために溝付き玉軸受及び４点接触軸受が一般的先行技術により知られている。その場合溝付き玉軸受は優れた旋回性を有するが、大きな軸方向遊びもある。在来の４点接触軸受は軸方向遊びが少ないが、極めて小さな旋回性しかない。柔軟に支承された４点接触軸受（例えばばね部材により）も周知であるが、これは設計上複雑な構造になっており、その他の望ましくない副作用がある。
【０００６】
特に支承される部材がステアリングシステムのボールスクリュー式ギヤの、元来高い軸方向力に適したボールナットであるならば、走行運転中に高いタイロッド力が現れ、それがスピンドルの大きなたわみを生じることが可能である。横力と曲げモーメントがギヤユニットの不均一な荷重分布及び個別部品（ボールナット、スピンドル、ボール）の付加荷重をもたらす。この荷重が不当に高ければ、必要な寿命が得られない。
【０００７】
また、すでに組立時に許容差、形状及び位置偏差又は調整過程の結果、一部で横力と曲げモーメントが現れ、ひずみや摩擦の増加をもたらし、ついには締め付け効果を生じる。
【０００８】
その他の先行技術については、ドイツ特許公開ＤＥ１００５２２７５Ａ１並びに欧州特許ＥＰ０１０１５７９Ｂ１及びＥＰ０１３３００３Ｂ１を参照のために挙げる。
【発明の開示】
【発明が解決しようとする課題】
【０００９】
そこで本発明の根底にあるのは、ボールスクリュー式ギヤの縦長の部材が回転自在に支承され、支持部に極めて小さな軸方向遊びと、妨害力の補正のために良好な旋回性を持たせたボールスクリュー式パワーステアリングを提供する課題である。
【課題を解決するための手段】
【００１０】
この課題は本発明に基づき請求項１の特徴部分によって解決される。
【００１１】
本発明に基づくパワーステアリングは、軸方向遊びをごく小さくし、妨害力を補正するために優れた旋回性又は旋回角及び旋回モーメントを持たせて、縦長の部材をステアリングギヤの中に支承することを可能にする。
【００１２】
本発明は特にベルト及びベルト車を有するステアリングギヤのボールスクリュー式ギヤユニットのボールナットの支承に適している。なお発明者は、おおむね妨害力の原因であるタイロッド力の横力分と作用方向がタイロッド又は車両のキャンバ及び弾性たわみに左右され、作用方向は一定でないが、当該の負荷の場合、限られた許容範囲内で変動することを認識していた。  
【００１３】
その場合本発明に基づき支持部が妨害力の作用方向に応じて旋回運動を行わせるようになっている。そこで好ましい実施形態では、支持部が少なくとも１つの軸受旋回軸の周りに旋回可能な軸受を有し、軸受旋回軸は少なくとも近似的に、妨害力が部材に旋回運動を強制する妨害力旋回軸に相当するようにした。軸受を含めて支承される部品は、こうしてステアリングシステムの最適な旋回軸又は妨害力から生じる妨害力旋回軸にほぼ相当する旋回軸の周りに旋回可能である。好ましい軸受旋回軸を確定することにより、本発明に基づく装置は設計上簡単な、持続的使用に適した構造を有する。
【００１４】
軸受が旋回装置の一部である（これに直接組み込まれている）か、又は軸受が旋回装置の内部に配置又は固定されているならば好都合である。
【００１５】
軸受は軸方向遊びがごく僅かな玉軸受、例えば４点接触軸受であることが好ましい。
【００１６】
本発明に基づく解決策は、遊びの少ない又は遊びのない支持部を可能にし、その場合支持部は大きな旋回角と、とりわけ妨害力旋回軸に相当する優先軸（軸受旋回軸）の周りの設計可能な旋回モーメントを有する。支持部に対して高い軸方向及び半径方向力が許容される。ひずみなしに組立を行うことができるから、ステアリングシステム（又は他のシステム）の摩擦への影響が最小化される。本発明に基づく装置は横力、たわみ（スピンドルのたわみ）及び傾きの場合でも均一な荷重分布を可能にし、従ってボールスクリュー式ギヤに特に適している。
【００１７】
本発明に基づく装置によって、ギヤユニット及び全システムの高い寿命が生じる。
【００１８】
発明の有利な改良及び実施態様が従属請求項で明らかである。次に図面に基づき発明の実施例の概要を説明する。
【発明を実施するための最良の形態】
【００１９】
図面はステアリングギヤの中の縦長の部材１を回転自在に支承するための装置を示す。
【００２０】
本発明に基づく装置はとりわけステアリングギヤの部材を回転自在に支承するのに適している。この点について図１は好ましい実施例を示す。その場合部材はステアリングシステムのボールスクリュー式ギヤのボールナット１又はステアリングナット１である。ボールスクリュー式ギヤの機能は一般的先行技術でよく知られており、この点については例えばドイツ特許公開ＤＥ１０３１０４９２Ａ１を参照のために挙げる。図１はベルト３を介してボールナット１を駆動する駆動ユニット２を示す。これはスピンドル４の直線又は軸方向運動をもたらす。スピンドル４はタイロッド５を介して車両の詳しく図示しない車輪を操縦する。なおボールナット１は支持部６によって回転自在に支承され、支持部６は妨害力（おおむねタイロッド力から生じる）の作用方向に従って旋回運動を行わせる。
【００２１】
また図１はボールナット１の支持部６の配列の概要を示す。支持部６の種々の実施形態の横断面図が図２ないし１０に示されている。
【００２２】
図２ないし１０で明らかなように、支持部６は軸受７を有する。軸受７は少なくとも１つの軸受旋回軸８の周りに旋回可能である。軸受旋回軸８は少なくとも近似的に妨害力旋回軸に相当する。妨害力はボールナット１又はスピンドル４にこの軸の周りの旋回運動を強制する。当該の負荷の場合、妨害力の作用方向は限られた許容範囲内で変動するから、妨害力旋回軸をこれから計算し、軸受旋回軸８を適当に決定し、又は整列することができる。
【００２３】
本例では軸受は４点接触軸受の形の玉軸受である。原則として他の軸受も、とりわけ軸方向遊びがごく小さければ適している。
【００２４】
次に実施例で示すように、旋回作用は旋回装置９自体の変形及び／又は当該の支持部材１０のねじりに基づく。
【００２５】
図２は旋回装置９の中の玉軸受７の配置を示す。その場合旋回装置は内輪１１及び外輪１２を有する旋回リング９として形成され、内輪１１と外輪１２はブリッジ１３によって連結されている。玉軸受７は旋回リング９の中に固定されている。玉軸受７は内輪７ａ、外輪７ｂ及びその間に配置されたボール７ｃを備えた慣用かつ周知の構造を有する。
【００２６】
旋回リング９の内輪１１と外輪１２は２つのブリッジ１３によって連結され、ブリッジ１３は旋回リング９の相対する位置に少なくとも近似的に一線をなして配置されている。その場合２つのブリッジ１３の軸は軸受旋回軸８をなす。  
【００２７】
図示の便宜上、図２及び以下の図にはボールナット１とスピンドル４を図示しない。ボールナット１、スピンドル４及び２つの部材を結合するボールは通常のように配置され、玉軸受７によって支承される。
【００２８】
図３は本発明に基づく装置の変型を示す。この変型は玉軸受７の外輪７ｂが旋回リング９の内輪１１をなすことが図２と相違する。この内輪は図２と同様に２つのブリッジ１３によって外輪１２と結合される。２つのブリッジ１３の軸はやはり軸受旋回軸８をなす。
【００２９】
図示しない実施形態では図２及び図３に示した実施形態に基づき、組立時にすでに生じる傾きを補正するために、弾性部材を使用できるようになっている。そのために弾性部材によって旋回リング９とハウジング１４が結合されるようにすることができる。その場合、弾性部材を旋回リング９に半径方向及び／又は軸方向に配置することができる。  
【００３０】
図４は、ハウジングの受座１４ａに対して旋回リング９をねじることができる本発明装置の実施形態を示す。そのために旋回リング９は偏心構造を有し、ハウジング１４に対するボールナット１、さらにはスピンドル４の位置を変化できるようになっている。
【００３１】
ハウジング１４に対する旋回リング９の偏心構造によって、支承された部材の位置を変更できることは、特に図１に示すようにベルト伝動装置を使用する場合に特に適していることが判明した。こうして調整、例えばベルトの張りの調整を簡単に行うことができるからである。
【００３２】
図４の旋回リング９は図３の実施形態と同様に構成され、玉軸受７の外輪７ｂが旋回リング９の内輪１１をなす。しかし図４の実施形態は図２の構造を有することもできる。いずれの実施形態でも、組立時の傾きを適当に補正するために、弾性部材（軸方向及び／又は半径方向）の使用が原則として可能である。
【００３３】
図５は、ハウジングの受座１４ａに対する旋回リング９のねじりの代わりに、旋回リング９をハウジング１４の中で移動するようにした本発明の実施形態を示す。そのために旋回リング９は調整装置１６を有する。調整装置１６はハウジング１４に対するボールナット１及びスピンドル４の位置を変更することを可能にする。こうして図４と同様に、調整、例えばベルト伝動装置のベルトの張りの調整を簡単に行うことができる。図５の旋回リング９は原則として図３の実施形態に基づきすでに説明した構造を有し、外輪１２が調整装置１６に置き換えられている。なお調整装置１６は、内輪１１の反対側のブリッジ１３の端部に配置された２個の固定具１６ａ、１６ｂを有する。固定具１６ａ、１６ｂはハウジング１４と任意に適当に結合することができ、その際ハウジング１４の中の軸受の移動は、ブリッジ１３が固定具１６ａ、１６ｂに対して移動可能であるか、又は固定具１６ａ、１６ｂの固定がハウジング１４に対して移動可能であることによる。
【００３４】
図３の実施形態と同様に、外輪７ｂを旋回リング９の内輪１１と一体に形成することもできる。原則として図５のすべての実施形態で、周囲のハウジング１４との結合のために軸方向及び／又は半径方向に配置された弾性部材を使用することも可能である。
【００３５】
図６は、旋回装置が旋回リング９として形成され、旋回リング９がその外側の２つの相対する位置にジャーナル１７、突出部等を有し、これがハウジング側の支持部材１０に支承される本発明装置の実施形態を示す。ジャーナル１７は旋回リング９又は支持部材１０に任意に配置することができる。所望の旋回性（旋回モーメント、騒音発生等）に応じてジャーナル１７を、図６に示すように補助ラジアル軸受１８により支持部材１０の中に配置することができる。その場合ジャーナル１７の軸は軸受旋回軸８をなす。玉軸受７は旋回リング９に固定される。
【００３６】
図７は、図６に示す実施形態と異なり、旋回リング９が玉軸受７の外輪７ｂからなるようにした本発明装置の実施形態を示す。その他の構造は図６の実施形態に相当する。
【００３７】
図８は、図６の実施形態にも図７の実施形態にも適する本発明装置の変型を示す。その場合、組立時に生じる組立ひずみ又は傾きの補正のために、支持部材１０の区域に弾性部材１５が設けられている。弾性部材１５は前述と同じ役割を遂行するが、前掲の図では弾性部材が示されていない。弾性部材１５は支持部材１０をハウジング１４に対して移動可能に配置することを可能にする。その場合、軸方向及び／又は半径方向に配置された部材１５によって、支持部材１０とハウジング１４を結合することができる。
【００３８】
図９は、図８の実施形態と異なり、組立時に生じる傾きに影響を及ぼすようにした本発明装置の変型を示す。弾性部材１５の少なくとも１つ又は支持部材１０に作用するその力が調整可能であることによって、これが行われる。図９に示す実施形態によれば、ねじ部材１９によって調整が行われる。但しこの点については、多数のその他の可能性が一般的先行技術により明らかである。
【００３９】
図１０は、軸受又は支承される部材（ボールナット１、スピンドル４）がハウジング１４の中で移動可能であることが請求項６の実施形態と異なる本発明装置の実施形態を示す。ハウジング１４の中で移動することによって、支承される部品の位置が変更され、それによって調整、例えばベルト伝動装置のベルトの張りの調整が行われる。図１０に示す実施形態によれば、ハウジング１４に対する支持部材１０の位置を変えることができ、それによって玉軸受７及び支承される部品（ボールナット１、スピンドル４）の位置も変化する。さらに支持部材１０が細長い穴を有し、それによってハウジング１４に対する支持部材１０の位置を簡単に変更できるようにした。
【００４０】
本発明に基づくこの装置は、ボールナットがベルト伝動装置により駆動されるボールスクリュー式ギヤユニット、例えば図１に概要を示した軸平行な駆動装置での使用に特に適している。しかし本発明に基づく装置はこれに限定されるものではない。むしろ本発明装置は、妨害力（例えば横力、曲げモーメント）が負荷される部材を回転自在に支承することになっている別種の装置での使用にも適している。
【図面の簡単な説明】
【００４１】
【図１】ベルト伝動装置を備えたステアリングシステムのボールスクリュー式ギヤの概略図である。
【図２】旋回装置が内輪と外輪を有し、内輪と外輪がブリッジによって連結された本発明装置の第１の実施形態の断面図である。
【図３】旋回装置の内輪が軸受の外輪からなることが第１の実施形態と異なる本発明装置の第２の実施形態の断面図である。
【図４】旋回装置が偏心構造を有することが第２の実施形態と異なる本発明装置の第３の実施形態の断面図である。
【図５】上記の実施形態と異なり旋回装置の外輪が調整装置に置き換えられた本発明装置の第４の実施形態の断面図である。
【図６】旋回装置が２個のジャーナルを外側に取り付けた旋回リングを有し、ジャーナルがハウジング側の支持部材に支承された本発明装置の第５の実施形態の断面図である。
【図７】旋回リングが軸受の外輪からなることが第５の実施形態と異なる本発明装置の第６の実施形態の断面図である。
【図８】支持部材の区域に弾性部材が配置されていることが第６の実施形態と異なる本発明装置の第７の実施形態の断面図である。
【図９】弾性部材がねじ部材によって調整可能であることが第７の実施形態と異なる本発明装置の第８の実施形態の断面図である。
【図１０】軸受がハウジングの中で移動可能であることが第５の実施形態と異なる本発明装置の第９の実施形態の断面図である。
【図１】
2008538342.tif 000003
【図２】
2008538342.tif 000004
【図３】
2008538342.tif 000005
【図４】
2008538342.tif 000006
【図５】
2008538342.tif 000007
【図６】
2008538342.tif 000008
【図７】
2008538342.tif 000009
【図８】
2008538342.tif 000010
【図９】
2008538342.tif 000011
【図１０】
2008538342.tif 000012
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
ボールスクリュー式ギヤの、回転軸に沿って軸方向に延びる部材（１）が軸受（７）により回転自在に支承され、部材（１）の支持部（６）が妨害力の作用方向に従って旋回運動を可能にするボールスクリュー式パワーステアリングにおいて、下記の特徴、即ち
−軸受（７）が旋回装置（９）の一部であり、
−旋回装置が旋回リング（９）として形成され、
−旋回リング（９）が相対する位置にある２個のブリッジ（１３）を有し、
−これらのブリッジが軸受旋回軸（８）をなす
ことを特徴とするパワーステアリング。
【請求項２】
旋回リング（９）が内輪（１１）及び外輪（１２）を有し、内輪（１１）と外輪（１２）がブリッジ（１３）によって連結されていることを特徴とする請求項１に記載のパワーステアリング。
【請求項３】
軸受（７）が軸受旋回軸（８）の周りに旋回可能であり、軸受旋回軸（８）が少なくとも近似的に、妨害力が部材（１）に旋回運動を強制する妨害力旋回軸に相当することを特徴とする請求項１または２に記載のパワーステアリング。
【請求項４】
軸受（７）が旋回装置（９）の内部に配置されていることを特徴とする請求項１または２に記載のパワーステアリング。
【請求項５】
旋回装置（９）が変形可能であることを特徴とする請求項１または２に記載のパワーステアリング。
【請求項６】
旋回リング（９）の内輪（１１）が軸受（７）の外輪（７ｂ）からなることを特徴とする請求項２に記載のパワーステアリング。
【請求項７】
旋回リング（９）が弾性部材（１５）によりハウジング（１４）と結合され、弾性部材（１５）が旋回リング（９）に半径方向及び／又は軸方向に配置されていることを特徴とする請求項１または６に記載のパワーステアリング。
【請求項８】
旋回装置（９）をハウジングの受座（１４ａ）に対してねじることができることを特徴とする請求項１および４〜８のいずれか一項に記載のパワーステアリング。
【請求項９】
旋回装置（９）が偏心構造を有し、旋回装置（９）をハウジングの受座（１４ａ）に対してねじることによって、支承される部材（１）のハウジング（１４）に対する位置が変更されることを特徴とする請求項８に記載のパワーステアリング。
【請求項１０】
軸受（６）がハウジングの受座（１４ａ）に対して移動可能であることを特徴とする請求項１〜７のいずれか一項に記載のパワーステアリング。
【請求項１１】
旋回装置（９）が、ハウジング（１４）に対する軸受（７）の位置及び支承される部材（１）の位置を変更することを可能にする調整装置（１６）を有することを特徴とする請求項１０に記載のパワーステアリング。
【請求項１２】
旋回リング（９）の外輪（１２）が調整装置（１６）に置き換えられていることを特徴とする請求項２または１１に記載のパワーステアリング。
【請求項１３】
旋回装置が旋回リング（９）を有し、旋回リング（９）がその外側の２つの相対する位置に少なくとも近似的に一線をなしてジャーナル（１７）を有し、ジャーナル（１７）がハウジング側の支持部材（１０）に支承されることを特徴とする請求項１または４に記載のパワーステアリング。
【請求項１４】
ジャーナル（１７）が軸受旋回軸（８）をなすことを特徴とする請求項１３に記載のパワーステアリング。
【請求項１５】
ジャーナル（１７）がラジアル軸受（１８）により支持部材（１０）に支承されることを特徴とする請求項１３または１４に記載のパワーステアリング。
【請求項１６】
旋回リング（９）が軸受（７）の外輪（７ｂ）からなることを特徴とする請求項１３、１４または１５に記載のパワーステアリング。
【請求項１７】
支持部材（１０）がハウジング（１４）に対する組立ひずみの補正のために移動可能に配置されていることを特徴とする請求項１３ないし１６のいずれか一項に記載のパワーステアリング。
【請求項１８】
支持部材（１０）が支持部材（１０）に軸方向及び／又は半径方向に配置された弾性部材（１５）によりハウジング（１４）と結合されていることを特徴とする請求項１７に記載のパワーステアリング。
【請求項１９】
少なくとも支持部材（１０）に働く弾性部材（１５）の力が調整可能であることを特徴とする請求項１８に記載のパワーステアリング。
【請求項２０】
ねじ部材（１９）によって調整が行われることを特徴とする請求項１９に記載のパワーステアリング。
【請求項２１】
軸受が軸方向遊びのごく少ない玉軸受（７）であることを特徴とする請求項１〜２０のいずれか一項に記載のパワーステアリング。
【請求項２２】
玉軸受（７）が４点接触軸受であることを特徴とする請求項２１に記載のパワーステアリング。
【請求項２３】
部材がステアリングシステムのボールスクリュー式ギヤのボールナット（１）であることを特徴とする請求項１〜２１のいずれか一項に記載のパワーステアリング。
【国際調査報告】
2008538342.tif 000013
2008538342.tif 000014
2008538342.tif 000015
2008538342.tif 000016